(57)【要約】【課題】スイング時に違和感を生じ難くし、簡素な構成でしかも手軽に使用することができる脇締め矯正用のゴルフスイング矯正具を提供する。【解決手段】上腕部２０に保持される保持部材１１と；柔軟性を有する素材で薄板状に構成され、脇部２１に挟持される表示部材１２と； 保持部材と表示部材を連結し柔軟性を有する紐状の素材で構成された連結部材１３と；を具備するゴルフスイング矯正具を構成する。【選択図】        図１
2010214086.tif 000002
【特許請求の範囲】
【請求項１】
上腕部に保持される保持部材と；
柔軟性を有する素材で薄板状に構成され、脇部に挟持される表示部材と；
保持部材と表示部材を連結し柔軟性を有する紐状の素材で構成された連結部材と；
を具備していることを特徴とするゴルフスイング矯正具。
【請求項２】
上腕部に保持される保持部材と；
柔軟性を有する素材で構成される取付部材と；
保持部材と取付部材を連結し柔軟性を有する紐状の素材で構成された連結部材と；
を具備していることを特徴とするゴルフスイング矯正具。
【請求項３】
前記保持部材は、リング状の伸縮材からなり上腕部に挿入されて保持されることを特徴と
する請求項１または２記載のゴルフスイング矯正具。
【請求項４】
対をなすように構成されたことを特徴とする請求項１ないし３いずれか一記載のゴルフスイング矯正具。
【発明の詳細な説明】
【技術分野】
【０００１】
本発明は、ゴルフにおけるスイングの矯正具に係り、特に簡易かつ手軽な手段でスイン
グを矯正することが可能なゴルフスイング矯正具に関する。
【背景技術】
【０００２】
ゴルフにおいては、正確な打球を打つことができるように、各種のスイング矯正具が提
案されている。例えば、下記の特許文献１には、脇の締め付け具合を機械的または電気的
センサーによって正確にチェックできるようにし、正確なスイングへの矯正を図ると共に
、その練習の能率を向上させるゴルフスイングの矯正具が示されている。
【０００３】
また、特許文献２には、電気的手段を用いることなく、利き腕のダウンスイング時の脇
締め状態の判別が、誰にでも判別できる報知手段により確実に行えるゴルフスイング用脇
閉め矯正具が示されている。
【先行技術文献】
【特許文献】
【０００４】
【特許文献１】特開平８−２９９５２１号公報
【特許文献２】特開平１１−１６４９２５号公報
【発明の概要】
【発明が解決しようとする課題】
【０００５】
しかしながら、特許文献１に示される矯正具は、脇に面するように止め付け手段に付設
された感圧センサーと、感圧センサーに所定圧感知によって電気的に作動する報知手段か
らなり、これら感圧センサーとブザー等の報知手段はケーシング内に収納され、このケー
シングを脇に挟み込み、センサーが胴体により押されることにより作動して、両腕におけ
る脇締めの状態を報知し脇締めを矯正しようとするものである。
【０００６】
このため、脇の下には硬いケース状の部材が介在し、これが挟み込まれた状態でスイン
グを行うこととなり、脇の下、換言すれば、上腕部に違和感が生じてスイングがし難くな
ってしまう。
【０００７】
特に、ケーシング内には、特許文献１の段落番号［００２１］に記載されているように
、「ブザーと電池とからなる報知手段が納設されると共に、圧力調整手段としてコイルバ
ネの所要圧縮ストロークに対応して通電されるスイッチが設けられる。」このため、ケー
シングは所定の大きさと重さを有することとなり、一層上腕部における違和感が生じ、微
妙で繊細な感覚を特に必要とするゴルフスイングの妨げになる。また、同時に繰り返しの
練習により硬いケーシングによって脇部の皮膚を傷めてしまう危険性もあり、さらに、セ
ンサーやスイッチ等の電気部品を備えた構成であるので、長期にわたる激しいスイングの
繰り返し等により故障が発生し易くなる。また、報知手段の電源となる電池切れが生じる
問題もある。
【０００８】
一方、特許文献２は、その段落番号［００１８］に、「脇用パットを柔軟質部材からな
り原形復元機能を有する扁平中空体とするとともに、扁平中空体の内部空気の挟圧放出に
より鳴動する笛体を備えた電気的手段を用いない矯正具。」が示されている。しかし、パ
ットの中空体内には硬い笛が収容されており、この硬い部材が脇の下に挟まれることから
、スイング時における違和感を解消することはできない。また、特に、脇用パットを身体
に取り付けるための装着手段は、胸部に装着される胸部装着用ベルトと、肩掛けバンドで
構成されることから、使用の際は身体に装着しなければならず手間がかかり、さらにはス
イング時において、胸部および肩部が圧迫されることから、違和感が生じ、ゴルフスイン
グの妨げになってしまう。
【０００９】
このため、この種、ゴルフスイングの矯正具、特に、スイング時における脇締めを矯正
するための矯正具にあっては、手軽に使用することができると共に、スイング時に違和感
を生じ難くした簡素な構成の矯正具を如何にして提供するかが重要な課題となっている。
【００１０】
本発明は、上記課題に対処するためになされたもので、スイング時に違和感を生じ難く
し、簡素な構成でしかも手軽に使用することができる脇締め矯正用のゴルフスイング矯正
具を提供することを目的とする。
【課題を解決するための手段】
【００１１】
請求項１に記載のゴルフスイング矯正具の発明は、上腕部に保持される保持部材と；柔
軟性を有する素材で薄板状に構成され、脇部に挟持される表示部材と；保持部材と表示部材を連結し柔軟性を有する紐状の素材で構成された連結部材と；を具備していることを特徴とする。
【００１２】
本発明において、上腕部に保持される保持部材は、例えば、伸縮性を有するゴム等の伸
縮材からなるリング状の部材で構成し、上腕部に挿入されて保持されることが好ましいが
、ここでは伸縮材であることは必要な条件でなく、例えば、クリップや面状ファスナー等
、柔軟性を有しない保持部材であってもよく、要は、使用に際して反復使用が可能な全て
の部材が許容される。
【００１３】
表示部材は、脇部に挟持され落下した場合にスイングにおける脇締めが十分でないこと
を表示し知らせるための手段であり、素材および形態は、脇部に挟持された状態で違和感
を感じ難い柔軟性を有する素材で、形態は薄板状をなすものが許容され、例えば、不織布
等の柔軟性を有する素材で短冊状をなす薄板状に構成されることが好ましいが、材質は、
不織布に限らず、布、紙、合成樹脂、合成ゴム、天然ゴム等全ての薄板状をなす素材が許容される。また、表示部材は、脇部からの落下状態などを見やすくするために、目に付き易い「赤」や「黄」等に着色したり、蛍光色に着色されたものが好ましいが、白色や透明体であってもよい。
【００１４】
表示部材は、表示部材として専用に構成されたものでも、ゴルフ場や練習場等でスイングの際、誰でも持ち合わせているゴルフ用手袋、ハンカチ、靴下、さらには、スコアカード等、手持ちの部材によって表示部材を構成するようにしてもよい。さらには、表示部材を取り付けるための取付部材、例えば、面ファスナーを、それ自体が表示部材になる形状に構成して取付部材と表示部材とを兼ねるように構成してもよい。
【００１５】
また、表示部材の重さを調整できるようにし、例えば、軽く落下し難い表示部材を構成
することにより、脇締めが最初からは難しい初心者用として使用したり、重く落下し易い
表示部材を構成し、より強固な脇締めを要求されるベテラン用として使用できるようにし
てもよい。重さの調整は表示部材に薄い板状の重り等を適宜選択して付着させることによ
り調整するようにしてもよい。
【００１６】
保持部材と表示部材を連結する連結部材は、例えば、ゴム紐やタコ糸、さらには、幅広
リボン状をなす布等、柔軟性を有する紐状の素材で構成されることが好ましいが、合成樹
脂やアルミニウム等の軽量な金属で構成された紐状をなす鎖等で構成されたものであって
もよい。連結するための手段は、連結部材の両端部を縫い付けたり、接着剤で接着固定し
たり、さらに、ボタンや面状ファスナー等で着脱が可能になるように取り付けたものであ
ってもよく、さらには、紐状をなす部分の長さが自由に調整できるように構成してもよい
。また、軽いゴム紐からなる連結部材、または、金属からなる比較的重い鎖からなる連結
部材を適宜選択して使用することによって、表示部材の重さ、すなわち、表示部材の脇部
からの落下のし易さを調整するようにしてもよい。
【００１７】
連結部材において、特に、表示部材との連結手段は、上記のように、表示部材を直接連結部材に連結して構成することが許容されるが、連結部材に取付部材を連結し、この取付部材に表示部材を設けるように構成してもよい。
【００１８】
保持部材、表示部材および連結部材により構成された矯正具は１個が用意されて、右上
腕部または左上腕部の脇締めを、それぞれ個々に矯正するようにしてもよい。または、矯
正具を一対用意して、左右の上腕部における脇締めを同時に矯正するようにしてもよい。
【００１９】
請求項２記載のゴルフスイング矯正具の発明は、上腕部に保持される保持部材と；柔軟性を有する素材で構成される取付部材と；保持部材と取付部材を連結し柔軟性を有する紐状の素材で構成された連結部材と；を具備していることを特徴とする。
【００２０】
本発明において、取付部材は、例えば、取付部材を面ファスナーで構成し、この面ファスナーに対し、ゴルフ用手袋Ｇを装着する。すなわち、ゴルフ用手袋には必ず設けられている手首締め付けバンドの面ファスナーに簡単に着脱できるように装着し、ゴルフ用手袋を表示部材として手軽に使用することができるようにしてもよい。
【００２１】
また、面ファスナー等によって装着できない、ハンカチ、靴下、さらには、スコアカード等、手持ちの部材に対しては、連結部材における先端部分を長い紐状に形成して取付部材を構成し、これら手持ちの部材を紐で結ぶことにより、さらに手軽に着脱ができるようにしてもよい。
【００２２】
また、取付部材は、上述した手持ちの部材だけでなく、表示専用に構成された表示部材を装着するようにしてもよい。さらに、取付部材自体を短冊状などに大きめに構成して表示部材を兼ねるように構成し、別個の表示部材を設けることなく、取付部材を表示部材に兼用して使用できるようにしてもよい。
【００２３】
請求項３に記載の発明は、請求項１または２記載のゴルフスイング矯正具において、前記保持部材は、リング状の伸縮材からなり上腕部に挿入されて保持されることを特徴とする。
【００２４】
本発明における保持部材は、例えば、ゴム紐をリング状に形成して構成することが許容
されるが、リング全体がゴム紐等の伸縮材で構成されていなくても、一部が伸縮性を有し
ない合成樹脂の連結片等で構成され、ゴムや連結片等の伸縮性を有する部材で連結してリ
ング状に構成したものであってもよい。
【００２５】
また、リングの大きさ、すなわち、リング径の寸法を調整できるように構成し、上腕部
への圧迫感を調整するようにしてもよい。さらに、リングを構成するゴム紐等の幅寸法を
広く構成したり色を付けたりして、スイング時に目で保持部材の存在を確認し易くなるよ
うに構成してもよい。
【００２６】
請求項４に記載の発明は、請求項１ないし３いずれか一記載のゴルフスイング矯正具において、対をなすように構成されたことを特徴とする。
【００２７】
本発明によれば、ゴルフスイング矯正具は対をなすように構成されるので、左右の上腕部における脇締めを同時に矯正することが可能となる。
【発明の効果】
【００２８】
請求項１に記載の発明によれば、柔軟性を有する表示部材および連結部材により、スイ
ング時に違和感を生じ難くすることが可能となる。また、保持部材と表示部材は、紐状の
素材で構成された連結部材で連結した簡素な構成で、しかも使用に際しては、上腕部に保
持部材を保持し表示部材を脇部に挟持するだけの簡単な操作で手軽に使用することが可能
な脇締め矯正用のゴルフスイング矯正具を提供することができる。
【００２９】
請求項２に記載の発明によれば、柔軟性を有する素材で構成される取付部材により、ゴルフ用手袋等の手持ちの部材を表示部材として使用することができ、一層、手軽に使用することが可能な脇締め矯正用のゴルフスイング矯正具を提供することができる。
【００３０】
請求項３に記載の発明によれば、保持部材は、リング状の伸縮材からなり上腕部に挿入
するだけで、手軽に使用することが可能な脇締め矯正用のゴルフスイング矯正具を構成す
ることができる。さらに、上腕部にリング状の伸縮材からなる保持部材が挿入されて上腕
部に圧迫感が生じることから、この圧迫感の存在により、スイング時に常に脇締めを行わ
なければならないという意識が生じて、より効果的な脇締め矯正を行うことが可能となる
。同時にスイング時に上腕部に保持された保持部材の存在を目で確認することが可能とな
り、スイング時におけるヘッドアップをも矯正することが可能な脇締め矯正用のゴルフス
イング矯正具を提供することができる。
【００３１】
請求項４に記載の発明によれば、ゴルフスイング矯正具は対をなすように構成されるので、左右の上腕部における脇締めを同時に矯正することが可能な脇締め矯正用のゴルフスイング矯正具を提供することができる。
【図面の簡単な説明】
【００３２】
【図１】本発明の一実施形態のゴルフスイング矯正具を示す正面図。
【図２】同じくゴルフスイング矯正具を上腕部に挟持する状態を示す正面図。
【図３】同じくゴルフスイング矯正具を左右両上腕部に挟持してアドレスをとった状態を示す正面図。
【図４】同じくゴルフスイング矯正具を左右両上腕部に挟持してバックスイングをした状態を示し、（ａ）は矯正具が挟持され脇締めが行われた状態を示す正面図、（ｂ）は矯正具が落下し脇締めが行われていない状態を示す正面図。
【図５】同じくゴルフスイング矯正具を左右両上腕部に挟持してフォロースルーをした状態を示し、（ａ）は矯正具が挟持され脇締めが行われた状態を示す正面図、（ｂ）は矯正具が落下し脇締めが行われていない状態を示す正面図。
【図６】同じくゴルフスイング矯正具を左右両上腕部に挟持してスイングしたときの目線の状態を示し、（ａ）はバックスイングをしたときの目線の状態を示す正面図、（ｂ）はフォロースルーをしたときの目線の状態を示す正面図。
【図７】同じくゴルフスイング矯正具の第１の変形例を示す正面図。
【図８】同じくゴルフスイング矯正具の第２の変形例を示す正面図。
【図９】同じくゴルフスイング矯正具のさらに他の変形例を示し、（ａ）は保持部材における第１の変形例を、一部を切り欠いて示す正面図、（ｂ）は保持部材における第２の変形例を、一部を切り欠いて示す正面図、（ｃ）は（ｂ）図の保持部材の両端部を連結して示す上面図、（ｄ）は保持部材の長さを長く調整した状態を示す上面図。
【図１０】同じくゴルフスイング矯正具の第３の変形例を示し、（ａ）は表示部材と連結部材の連結部分を示す正面図、（ｂ）は連結部材の長さを長く調整した状態を示す正面図。
【図１１】同じくゴルフスイング矯正具の第４の変形例を示し、（ａ）は正面図、（ｂ）は第４の変形例における他の例を、保持部材を省略して示す正面図、（ｃ）は保持部材の上面図。
【図１２】同じくゴルフスイング矯正具の第５の変形例を示す正面図。
【図１３】同じくゴルフスイング矯正具の第６の変形例を示す正面図。
【図１４】同じくゴルフスイング矯正具の第７の変形例を示す正面図。
【図１５】同じくゴルフスイング矯正具の第８の変形例を示す正面図。
【図１６】同じくゴルフスイング矯正具の第９の変形例を示す正面図。
【発明を実施するための形態】
【００３３】
以下本発明に係るゴルフスイング矯正具の実施形態について説明する。
【実施例１】
【００３４】
本実施例のゴルフスイング矯正具１０は、上腕部に保持される保持部材１１、脇部に挟
持される表示部材１２、保持部材と表示部材を連結する連結部材１３で構成する。
【００３５】
保持部材１１は、上腕部２０に挿入されるもので、ゴム紐の両端部１１ａを連結してリ
ング状をなすように構成する。本実施例では、幅寸法が約６ｍｍ、長さ寸法が約２２０ｍ
ｍの黒色のゴム紐の両端部１１ａを縫製してリング状をなす保持部材１１を構成した。こ
の寸法であれば、リングを大人の上腕部２０に挿入し保持した際に、大人の上腕部２０に
軽い圧迫感を与えながら保持される。
【００３６】
表示部材１２は、脇部２１に挟持されるもので、柔軟性を有する不織布で短冊状をなす
薄板状に裁断して構成する。本実施例における表示部材は、厚さ約０．５ｍｍの白色の不
織布を、長辺が約１６０ｍｍ、短辺が約９０ｍｍの長方形に裁断し、四辺の各縁を折り返
して縫製し、二重に重なった縁部１２ａを周囲に形成する。上記に構成された表示部材１
２であれば、不織布が柔軟性を有し薄く軽いので、脇部２１に挟持した際に、脇の下に馴
染んだ形状に合わせて自然に変形する。このため、脇の下に違和感を殆ど生じることなく
、かつ確実に脇部２１に挟持することができる。同時に、縁部１２ａが二重に重なり周囲
部分の強さが他の部分より多少強く補強されているため、表示部材１２全体が短冊状をな
す長方形の形状を常に保持しており、脇の下に折れ曲がったりすることなく短冊状の形状
をそのまま保ったままスムーズに挿入し挟持させることができる。同時に、脇が開いた際
に脇部２１に引っ掛かることなくスムーズに落下させることができる。
【００３７】
連結部材１３は、保持部材１１と表示部材１２を連結するもので、ゴム紐の両端部１３
ａを、表示部材１２の一方の短辺の両角部１２ｂに縫製して連結し、連結したゴム紐の略
中間部１３ｂを保持部材１１に縫製して連結する。本実施例においては、幅寸法が約５ｍ
ｍ、長さ寸法が約１８０ｍｍ、連結部分の長さ寸法Ｌ１を約７０ｍｍした白色のゴム紐を
用いた。これによれば、ゴム紐が細く柔軟性を有しているので、表示部材１２と共に折り
畳んで脇の下に挿入した際に、短冊状の表示部材の上方部分が脇の下に届いて確実に挟持
することができる（図２参照）。また、脇の下に違和感を殆ど生じることなく挟持するこ
とができる。同時に、脇部２１から表示部材１２と共に落下した際に、スイングの勢いで
表示部材が煽られて飛び出す状態、すなわち、短冊がヒラヒラと揺動する様に、うまく追
随し、落下したこと、すなわち、スイングにおける脇締めが十分でないことを確実に表示
させることができる。
【００３８】
なお、脇部２１における表示部材１２および連結部材１３における違和感は、冬季にお
ける厚着をした状態では殆ど感じることがない。また、夏季における半袖など薄着の場合
には、その存在を感じることはあるが、共に柔軟性を有する薄くかつ細い素材で構成され
ているためスイングの支障になることは殆どない。
【００３９】
上記により、保持部材１１、表示部材１２および連結部材１３からなるゴルフスイング
矯正具１０が構成され、次のようして使用される。先ず、上記に構成された矯正具１０を
一対用意する。次に、図２および図３に示すように、両足をアドレス状態にして、一方の
矯正具１０のゴム紐からなる保持部材１１をリング状に広げて右上腕部２０に挿入、右脇
部２１の下方に表示部材１２を保持させる。次に、他方の矯正具１０を左上腕部２０に挿
入し、左脇部２１の下方に表示部材１２を位置させる。
【００４０】
この状態で、図２に示すように、左手で右上腕部２０の表示部材１２を、ゴム紐からな
る連結部材１３と共に折り畳みながら右脇部２１の下に挿入して右脇部を締めて挟持する
。次に、右脇部を締めた状態で、上記と同様に右手によって左上腕部２０の表示部材１２
を、連結部材１３と共に折り畳みながら左脇部２１の下に挿入して左脇部を締めて挟持す
る。
【００４１】
次に、図３に示すように、上記により両脇部を締めた状態でクラブを握りそのままスイ
ングを行う。このとき、図４（ｂ）に示すように、バックスイングの際に、右脇部２１ま
たは左脇部２１が開いた状態のスイングになると、右脇部または左脇部から白い表示部材
１２が落下して、右脇部または左脇部の脇締めが不足している状態を表示する。両脇部が
開いた状態のスイングになると両脇部の表示部材１２が共に落下する。図４（ａ）に示す
ように、脇締めが行われていれば、表示部材１２は両脇部２１に挟持されたままの状態を
維持し落下しないので、脇締めがうまく行われたことが確認される。
【００４２】
また、バックスイングから振り下ろしボールを打った状態で右脇部または左脇部が開い
た状態のスイングになると、右脇部または左脇部から白い表示部材１２が落下して、右脇
部または左脇部の脇締めが不足している状態を表示し、右脇部または左脇部が開いたこと
が確認される。両脇部が開いた状態のスイングになると両脇部の表示部材１２が共に落下
して、両脇部の脇締めが不足している状態を表示し、両脇部が開いたことが確認される。
脇締めが行われていれば、表示部材１２は両脇部２１に挟持されたままの状態を維持して
落下しないので、脇締めがうまく行われたことが確認される。
【００４３】
さらに、図５（ｂ）に示すように、ボールを打った後のフォロースイングで、右脇部ま
たは左脇部が開いた状態のスイングになると、右脇部または左脇部から白い表示部材１２
が落下して、右脇部または左脇部の脇締めが不足している状態を表示する。両脇部２１が
開いた状態のスイングになると両脇部の表示部材１２が共に落下する。図５（ａ）に示す
ように、脇締めが行われていれば、表示部材１２は両脇部２１に挟持されたままの状態を
維持し落下しないので、脇締めがうまく行われたことが確認される。
【００４４】
次の打球のスイングをするには、上記同様にして表示部材１２を脇部２１に挟持すれば
よい。この際、表示部材１２は連結部材１３によって、保持部材１１に常に連結されてい
るので、スイングの度に表示部材１２が地面に落ちることがないので、都度表示部材を拾
い上げる必要がない。
【００４５】
上記のように、スイングの各状態における両脇部の締め具合が、表示部材１２の落下に
より、即座に、かつ確実に表示され確認することができと共に、落下しないスイングを体
得することによって脇締めの感覚をつかむことができる。これら作用によって、ゴルフス
イングにおける脇締めの矯正を簡単かつ確実に行うことができる。
【００４６】
また、上腕部２０にリング状のゴム紐からなる保持部材１１を挿入することにより、伸
縮するゴムの弾性力によって上腕部２０に圧迫感、すなわち、上腕部が軽く締め付けられ
た状態になることから、スイングをする際に常に脇締めを行わなければならないという意
識が生じることから、より効果的な脇締め矯正を行うことができる。
【００４７】
同時に、スイング時に上腕部２０に保持された保持部材１１の存在、すなわち、左右上
腕部の黒いゴム紐を目で確認することが可能となり、スイング時におけるヘッドアップを
も矯正することが可能になる。詳細には、図６（ａ）に一点鎖線で示すように、バックス
イングの際は、左の肩越しに左上腕部２０Ａのゴム紐１１Ａを目で確認しながらボールを
見て打ち、図６（ｂ）に一点鎖線で示すように、フォロースイングの際には、そのまま目
を離さずに右の肩越しに右上腕部２０Ｂのゴム紐１１Ｂを目で確認するようにする。これ
により、バックスイングの際は左顎を左肩に当て、フォロースイングの際には、右顎を右
肩に当てる動作を確実に行うことができ、頭が上がらずに、いわゆるヘッドアップ状態を
矯正することもできる。
【００４８】
以上のように、本実施例のゴルフスイング矯正具によれば、表示部材１２および連結部
材１３を、柔軟性を有するゴム紐で構成したので、表示部材と連結部材を共に折り畳んで
脇の下に挟持しても、スイング時に違和感を生じ難くすることが可能となる。また、矯正
具を胸部や胴部に装着する必要がなく、スイングを妨げることもない。
【００４９】
また、表示部材１２は薄い不織布で、連結部材１３は細いゴム紐で構成したので、薄く
軽い矯正具を構成することができ、脇部に確実に挟持することができる。特に、表示部材
１２は、縁部１２ａを二重にして補強したので、脇部の下に折れ曲がったりすることなく
形状を保ったままスムーズに挿入し挟持させることができる。同時に、脇部が開いた際に
脇部２１に引っ掛かることなく、より確実に落下させることができる。
【００５０】
また、連結部材１３は細いゴム紐で構成したので、表示部材１２が落下した際に、表示
部材の揺動に追随し、落下したことを確実に表示させることができる。
【００５１】
表示部材１２は、連結部材１３によって保持部材１１に常に連結されているので、スイ
ングの度に表示部材１２が地面に落ちることがないので、都度、表示部材を拾い上げる必
要がなく、手間のかからない効率的な練習ができる。
【００５２】
矯正具は、２本のゴム紐と小さい短冊状の不織布で構成することができ、簡素な構成で
、しかも使用に際しては上腕部２０に保持部材１１を挿入し、表示部材１２を脇部２１に
挟持するだけの簡単な操作で使い勝手がよく、手軽に使用することができる。特に、胸部
や胴部に装着する手間が不要となり、一層手軽に使用することができる。同時にブザーや
電池等を用いることなく構成することができコストも安く、より一層手軽に使用すること
ができ、ゴルフコンペの賞品などにも好適である。また電池切れを心配することもなく、
故障もなく長期間わたり使用することができる。
【００５３】
さらに、柔軟性を有する細いゴム紐と小さい不織布で構成されているので、使用しない
ときにはポケット等に入れて持ち運びができるので、常に携帯することもでき、休憩時間
などでの練習場で、即、手軽に使用することができる。
【００５４】
また、スイング時に左右上腕部の黒いゴム紐である保持部材１１を目で確認することが
可能となり、スイング時におけるヘッドアップをも矯正することが可能になる。
【００５５】
また、保持部材１１により、上腕部２０が軽く締め付けられた状態になることから、ス
イングをする際に常に脇締めを行わなければならないという意識が生じて、より効果的な
脇締め矯正を行うことができる。
【００５６】
以上、本実施例において、図７に示すように、表示部材１２を三角形のビニール製の薄
板で構成したフラッグ形状に構成してもよい。さらに、落下状態をより見やすくするため
に、蛍光色のピンク地に黒色に着色したフラッグの市松模様に形成してもよい。連結部材
１３は１本のゴム紐で連結するようにしてもよい。
【００５７】
また、図８に示すように、表示部材１２にポケットＰを形成し、ポケット内にティー（
Ｔ）やグリーンマーカー（Ｍ）など軽く小さいものを収納できるようにしてもよい。また
、ポケット内にティーやマーカー等、小さく軽いものを適宜選択して入れることにより、
表示部材１２の重量、すなわち、脇部からの落下のし易さを調整するようにしてもよい。
この場合、ポケットＰは表示部材１２の下部に設けることによって、スイング時に脇部に
違和感を与え難くすることができる。
【００５８】
また、保持部材１１は、リング全体がゴム紐等の伸縮材で構成されていなくても、図９
（ａ）に示すように、一部が伸縮性を有しない合成樹脂製で、市松模様を施した表示部材
にもなる幅広の連結片１１ｂで構成され、ゴム紐等の伸縮性を有する部材１１ｃで連結し
てリング状に構成したものであってもよい。また、同図９（ｂ）に示すように、保持部材
１１のゴム紐の両端部に面状ファスナーＦを縫製し、同図（ｃ）に示すように、それぞれ
の面状ファスナーＦを接着させてリング状に構成してもよい。さらに、同図（ｄ）に示す
ように、面状ファスナーの接着位置を変更することで、リングの大きさ、すなわち、リン
グ径を調整できるように構成し上腕部２０に対する圧迫力を調整するようにしてもよい。
【００５９】
また、連結部材１３を保持部材１１と表示部材１２に連結するために手段は、図１０（
ａ）に示すように、面状ファスナーＦで着脱が可能になるように取り付け、同図（ｂ）に
示すように、面状ファスナーＦの接着位置を適宜変更することにより、連結部分の長さ、
すなわち、連結部材１３の長さ寸法Ｌ１の長さを自由に調整できるように構成してもよい
（Ｌ１＞Ｌ１´）。
【００６０】
また、表示部材１２は、上述したように表示部材として専用に構成されたものに限らず、ゴルフ場や練習場等でスイングの際、誰でも持ち合わせているゴルフ用手袋、ハンカチ、靴下、さらには、スコアカード等、手持ちの部材によって表示部材を構成するようにしてもよい。
【００６１】
すなわち、図１１〜図１６に示すように、連結部材１３に取付部材１５を連結し、この取付部材に表示部材を設けるように構成してもよい。図１１に示すものは、取付部材１５として小さな短冊状の面ファスナー１５ａ（雌側の面ファスナー）を用い、この面ファスナー１５ａを連結部材１３の先端部に縫い付け、または、接着剤で接着固定してゴルフスイング矯正具１０を構成する。
【００６２】
上記に構成されたゴルフスイング矯正具の面ファスナー１５ａに対し、ゴルフ用手袋Ｇを装着する。すなわち、ゴルフ用手袋には必ず設けられている手首締め付けバンドの面ファスナー１５ｂ（雄側の面ファスナー）を装着する。これにより、ゴルフ用手袋Ｇを表示部材１２として用いることができる。
【００６３】
使用に際しては、上述した専用の表示部材１２と同様にして、ゴルフ用手袋Ｇをゴム紐からなる連結部材１３と共に折り畳みながら脇部の下に挿入し、脇部を締めて挟持して使用すればよい。また、練習が終了した際、ゴルフ用手袋は面ファスナーで簡単に外すことができ、そのまま手袋として何ら支障なく使用することができる。
【００６４】
これにより、ゴルフスイング時には誰でも必ず持ち合わせているゴルフ手袋を利用してゴルフスイングの矯正を、より一層手軽に行うことができる。さらに、ゴルフ手袋の面ファスナーを利用して簡単に着脱できるようにしたので、ゴルフ手袋を手軽に表示部材として使用することができる。なお、取付部材１５を構成する面ファスナー１５ａとゴルフ手袋の面ファスナー１５ｂの雄・雌関係は逆にしてもよい。また、図１１（ｂ）に示すように、面ファスナー１５ｂを設けた専用の表示部材１２を取付部材１５としての小さな短冊状の面ファスナー１５ａに装着して用いるようにしてもよい。
【００６５】
また、図１２に示すように、取付部材１５を構成する面ファスナー１５ａを、大きな短冊状に形成し、それ自体が表示部材になるように構成し、取付部材１５と表示部材１２とを兼ねるように構成してもよい。この大きな短冊状の面ファスナー１５ａに対して、図中点線で示すように、ゴルフ手袋Ｇの面ファスナーを装着し、ゴルフ手袋Ｇおよび面ファスナー１５ａで表示部材１２を構成するようにしてもよい。この場合、表示部材としての重量が重くなって強い脇締めが必要となり、ベテランに適したゴルフスイング矯正具を構成することができる。また、大きな短冊状の面ファスナー１５ａは、雌側のファスナーで構成することにより、脇部を締めて挟持した際、セーターや、起毛されたような厚手の生地からなる衣服の場合でも生地に引っ掛かることなく、脇部から円滑に落下させることができ、脇締めが十分でないことを確実に表示させることができる。本実施例においても、図１１（ｂ）に示すような専用の表示部材を大きな短冊状の面ファスナー１５ａに装着して用いるようにしてもよい。
【００６６】
また、面ファスナーによって装着できない、ハンカチ、靴下、さらには、スコアカード等、手持ちの部材に対しては、連結部材１３の先端部分を長い紐状に形成して取付部材１５を構成し、これら手持ちの部材を紐で結ぶことにより、さらに手軽に着脱ができるようにしてもよい。図１３はハンカチＨを四つ折り程度に畳んで、その一つの角部を、取付部材１５を構成する紐１５ｃで結んで連結したものである。図１４は靴下Ｓを二つ折りに畳んで、その一つの角部を、取付部材１５を構成する紐１５ｃで結んで連結したものである。図１５は二つ折りにされたスコアカードＣの折り目に、取付部材１５を構成する紐１５ｃを通して結び連結したものである。
【００６７】
これら、ハンカチＨ、靴下Ｓ、さらには、スコアカードＣ等、手持ちの部材も、使用に際しては、上述した専用の表示部材１２と同様にして、手持ちの部材をゴム紐からなる連結部材１３と共に折り畳みながら脇部の下に挿入し、脇部を締めて挟持して使用すればよい。また、練習が終了した際、これら手持ちの部材は紐の結びを解くことによって簡単に外すことができ、その手持ちの部材として何ら支障なく使用することができる。
【００６８】
なお、図１６は、円形の柔軟性を有する合成樹脂で構成した重さが約２０ｇ程度の専用の表示部材１２に取付孔１２ｃを形成し、この取付孔に取付部材１５を構成する紐１５ｃを通し結んで連結したものである。
【００６９】
また、図１１〜図１６に示す保持部材１１は、幅広のゴムバンドの両端部１１ａを、一部に延長部１１ｄが形成されるように連結してリング状をなすように構成し、リングの外側の一部に長めの面ファスナー１１ｅを、また延長部１１ｄに短い面ファスナー１１ｆをそれぞれ縫い付け、または、接着剤で接着固定して構成した。面ファスナー１１ｅおよび１１ｆは互いに係合する。
【００７０】
これにより、図１１（ｃ）に示すように、延長部１１ｄの面ファスナー１１ｆをリングの長めの面ファスナー１１ｅに対して、係合させる位置を選択することによって、簡単にリング径を調整することができ、上腕部２０に対する圧迫力を調整することができる。
【００７１】
なお、本実施例では、矯正具１０を一対用意して、左右両脇部２１の脇締めを同時に矯
正するようしたが、１個の矯正具１０で左右どちらかの、例えば、脇締めが甘くなる方の
脇部を集中的に矯正するようにしてもよい。
【００７２】
なお、上記の各変形例を示す図７〜図１６には、図１〜図６と同一部分に同一の符号を
付し、詳細な説明は省略した。以上、本発明の好適な実施形態を説明したが、本発明は上
述の実施例に限定されることなく、本発明の要旨を逸脱しない範囲内において、種々の設
計変更を行うことができる。
【符号の説明】
【００７３】
１０：ゴルフスイング矯正具
１１：保持部材
１２：表示部材
１３：連結部材
１５：取付部材
【図１】
2010214086.tif 000003
【図２】
2010214086.tif 000004
【図３】
2010214086.tif 000005
【図４】
2010214086.tif 000006
【図５】
2010214086.tif 000007
【図６】
2010214086.tif 000008
【図７】
2010214086.tif 000009
【図８】
2010214086.tif 000010
【図９】
2010214086.tif 000011
【図１０】
2010214086.tif 000012
【図１１】
2010214086.tif 000013
【図１２】
2010214086.tif 000014
【図１３】
2010214086.tif 000015
【図１４】
2010214086.tif 000016
【図１５】
2010214086.tif 000017
【図１６】
2010214086.tif 000018